(57)【特許請求の範囲】
【請求項１】
第１入力電圧と第２入力電圧との差を増幅し、該増幅された電圧を共通電圧として出力する演算増幅器と、
前記演算増幅器の第１共通電圧出力モードから第１電圧と第２電圧とを前記演算増幅器の電源に伝送し、第２共通電圧出力モードから第３電圧と第４電圧とを前記演算増幅器の前記電源に伝送するように配置されるスイッチと、を含み、
前記演算増幅器は、
前記第１入力電圧を受信する第１入力端子、前記第２入力電圧を受信する第２入力端子、及び出力端子を含み、
前記出力端子と第１ノードとの間に接続されて前記出力端子と第１ノードとの間の電圧を分配し、該分配された電圧を前記第１入力電圧として前記第１入力端子に出力する電圧分配部をさらに含み、
前記スイッチは、
前記第１共通電圧出力モードから前記第２電圧を前記第１ノードに伝送し、前記第２共通電圧出力モードから第５電圧を前記第１ノードに出力する
ことを特徴とする薄膜トランジスタ液晶表示装置の共通電圧発生器。
【請求項２】
前記共通電圧発生器は、
前記第１共通電圧出力モードから第１入力電圧出力制御信号に応答して前記第５電圧を分配した任意のレベルのうち何れか一つのレベルを選択し、該選択されたレベルに相応する電圧を前記第２入力電圧として前記第２入力端子に伝送し、
前記第２共通電圧出力モードから第２入力電圧出力制御信号に応答して前記第５電圧を分配した任意のレベルのうち他の一つのレベルを選択し、該選択されたレベルに相応する電圧を前記第２入力電圧として前記第２入力端子に伝送する入力電圧発生部をさらに含む
ことを特徴とする請求項１に記載の共通電圧発生器。
【請求項３】
前記入力電圧発生部は、
少なくとも一つの抵抗を用いて前記第２電圧と前記第５電圧との差に相応する電圧を抵抗分配し、該抵抗分配された電圧を出力する抵抗分配部と、
前記第１入力電圧出力制御信号に応答して前記抵抗分配部から出力された任意の電圧レベルのうち何れか一つの電圧レベルを選択し、該選択された電圧レベルに相応する電圧を前記第２入力電圧として出力するか、前記第２入力電圧出力制御信号に応答して前記任意の電圧レベルのうち他の一つの電圧レベルを選択し、該選択された電圧レベルに相応する電圧を前記第２入力電圧として出力するマルチプレクサと、を含む
ことを特徴とする請求項２に記載の共通電圧発生器。
【請求項４】
前記スイッチは、
前記演算増幅器の第３電圧出力モードから前記第３電圧と前記第４電圧とを前記演算増幅器の電源に伝送するように配置され、第２電圧出力モードから前記第１電圧と前記第２電圧とを前記演算増幅器の電源に伝送するように配置される
ことを特徴とする請求項１に記載の共通電圧発生器。
【請求項５】
前記第１電圧と前記第２電圧とを演算増幅器の電源として使って出力される第１共通電圧、前記第３電圧と前記第４電圧とを前記演算増幅器の前記電源として使って出力される第２共通電圧、前記第２電圧、及び前記第３電圧は、
前記第１共通電圧＞前記第３電圧＞前記第２電圧＞前記第２共通電圧の関係が成立する
ことを特徴とする請求項１に記載の共通電圧発生器。
【請求項６】
前記演算増幅器は、
前記第２共通電圧、前記第３電圧、前記第１共通電圧、前記第２電圧の順またはその逆順に電圧を出力する
ことを特徴とする請求項５に記載の共通電圧発生器。
【請求項７】
前記スイッチは、
前記第３電圧出力モードから前記第２電圧を前記第１ノードに伝送し、前記第２電圧出力モードから前記第５電圧を前記第１ノードに出力する
ことを特徴とする請求項４に記載の共通電圧発生器。
【請求項８】
前記共通電圧発生器は、
前記第３電圧出力モードから第１入力電圧出力制御信号に応答して前記第５電圧を分配した任意のレベルのうち何れか一つのレベルを選択し、該選択されたレベルに相応する電圧を前記第２入力電圧として前記第２入力端子に伝送し、
前記第２電圧出力モードから第２入力電圧出力制御信号に応答して前記第５電圧を分配した任意のレベルのうち他の一つのレベルを選択し、該選択されたレベルに相応する電圧を前記第２入力電圧として前記第２入力端子に伝送する入力電圧発生部をさらに含む
ことを特徴とする請求項７に記載の共通電圧発生器。
【請求項９】
前記入力電圧発生部は、
少なくとも一つの抵抗を用いて前記第２電圧と前記第５電圧との差に相応する電圧を抵抗分配し、該抵抗分配された電圧を出力する抵抗分配部と、
前記第１入力電圧出力制御信号に応答して前記抵抗分配部から出力された任意の電圧レベルのうち何れか一つの電圧レベルを選択し、該選択された電圧レベルに相応する電圧を前記第２入力電圧として出力するか、前記第２入力電圧出力制御信号に応答して前記任意の電圧レベルのうち他の一つの電圧レベルを選択し、該選択された電圧レベルに相応する電圧を前記第２入力電圧として出力するマルチプレクサと、を含む
ことを特徴とする請求項８に記載の共通電圧発生器。
【請求項１０】
前記スイッチは、
前記第１電圧または前記第３電圧を前記演算増幅器の第１電源端子に伝送する第１スイッチ対と、
前記第２電圧または前記第４電圧を前記演算増幅器の第２電源端子に伝送する第２スイッチ対と、
前記第１ノードに接続されて前記第２電圧または前記第５電圧を前記第１ノードに伝送する第３スイッチ対と、を含む
ことを特徴とする請求項１に記載の共通電圧発生器。
【請求項１１】
前記第１スイッチ対は、
第１スイッチ制御信号に応答して前記第１電圧を前記第１電源端子に伝送する第１スイッチ及び第２スイッチ制御信号に応答して前記第３電圧を前記第１電源端子に伝送する第２スイッチを含み、
前記第２スイッチ対は、
第３スイッチ制御信号に応答して前記第２電圧を前記第２電源端子に伝送する第３スイッチ及び第４スイッチ制御信号に応答して前記第４電圧を前記第２電源端子に伝送する第４スイッチを含み、
前記第３スイッチ対は、
第５スイッチ制御信号に応答して前記第５電圧を前記第１ノードに伝送する第５スイッチ及び第６スイッチ制御信号に応答して前記第２電圧を前記第１ノードに伝送する第６スイッチを含む
ことを特徴とする請求項１０に記載の共通電圧発生器。
【請求項１２】
前記第１スイッチ制御信号及び前記第３スイッチ制御信号と前記第２スイッチ制御信号及び前記第４スイッチ制御信号は、
互いに相補的な論理レベルを有し、
前記第５スイッチ制御信号と前記第６スイッチ制御信号は、
互いに相補的な論理レベルを有する
ことを特徴とする請求項１１に記載の共通電圧発生器。
【請求項１３】
前記共通電圧発生器は、
前記第１電源端子と前記第２電源端子との間に接続されて前記第１スイッチ対と前記第２スイッチ対とから発生しうるスイッチングノイズを除去するための少なくとも一つのキャパシタをさらに含む
ことを特徴とする請求項１０に記載の共通電圧発生器。
【請求項１４】
前記共通電圧発生器は、
第１共通電圧出力モードから第１入力電圧出力制御信号に応答して多数の電圧レベルのうち何れか一つの電圧レベルを前記第２入力電圧として選択して出力し、第２共通電圧出力モードから第２入力電圧出力制御信号に応答して前記多数の電圧レベルのうち何れか一つの電圧レベルを前記第２入力電圧として選択して出力する入力電圧発生部をさらに含む
ことを特徴とする請求項１に記載の共通電圧発生器。
【請求項１５】
前記入力電圧発生部は、
前記少なくとも一つの抵抗を用いて前記第５電圧と前記第２電圧との差と相応する前記多数の電圧レベルを決定する
ことを特徴とする請求項１４に記載の共通電圧発生器。
【請求項１６】
ソースドライバーと、
ディスプレイパネルと、
請求項１に記載の前記共通電圧発生器と、を含む
ことを特徴とするディスプレイ装置。
【請求項１７】
第１入力端子に入力される第１入力電圧と第２入力端子に入力される第２入力電圧との差を増幅し、該増幅された電圧を出力端子に共通電圧として出力する演算増幅器と、
前記出力端子と第１ノードとの間に接続されて前記出力端子と前記第１ノードとの間の電圧を分配し、該分配された電圧を前記第１入力電圧として前記第１入力端子に出力する電圧分配部と、
第１共通電圧出力モードから第１入力電圧出力制御信号に応答して多数の電圧レベルのうち何れか一つの電圧レベルを前記第２入力電圧として選択して出力し、第２共通電圧出力モードから第２入力電圧出力制御信号に応答して前記多数の電圧レベルのうち何れか一つの電圧レベルを前記第２入力電圧として選択して出力する入力電圧発生部と、
前記第１共通電圧出力モードから第１電圧と第２電圧とを前記演算増幅器の電源に伝送し、前記第２共通電圧出力モードから第３電圧と第４電圧とを前記演算増幅器の前記電源に伝送するように配置され、 前記第１共通電圧出力モードから前記第２電圧を前記第１ノードに伝送し、前記第２共通電圧出力モードから第５電圧を前記第１ノードに出力するスイッチを含む
ことを特徴とする薄膜トランジスタ液晶表示装置の共通電圧発生器。
【請求項１８】
第１電圧と第２電圧とを演算増幅器の電源として使って第１共通電圧を共通電圧として出力する段階と、
第３電圧と第４電圧とを前記演算増幅器の前記電源として使って第２共通電圧を前記共通電圧として出力する段階と、を含み、
前記演算増幅器は、
第１入力電圧を受信する第１入力端子、第２入力電圧を受信する第２入力端子、及び出力端子を含み、
前記出力端子と第１ノードとの間に接続されて前記出力端子と第１ノードとの間の電圧を分配し、該分配された電圧を前記第１入力電圧として前記第１入力端子に出力する電圧分配部をさらに含み、
前記スイッチは、
第１共通電圧出力モードから前記第２電圧を前記第１ノードに伝送し、第２共通電圧出力モードから第５電圧を前記第１ノードに出力する
ことを特徴とする薄膜トランジスタ液晶表示装置の共通電圧発生方法。
【請求項１９】
前記共通電圧発生方法は、
前記第１共通電圧を前記共通電圧として出力する段階前に、
前記第３電圧と前記第４電圧とを前記演算増幅器の前記電源として使って前記第３電圧を前記共通電圧として出力する段階をさらに含み、
前記第１共通電圧を前記共通電圧として出力する段階後に、
前記第１電圧と前記第２電圧とを前記演算増幅器の電源として使って前記第２電圧を前記共通電圧として出力する段階をさらに含む
ことを特徴とする請求項１８に記載の共通電圧発生方法。
【請求項２０】
前記第１共通電圧、前記第２共通電圧、前記第２電圧、及び前記第３電圧は、
前記第１共通電圧＞前記第３電圧＞前記第２電圧＞前記第２共通電圧の関係が成立する
ことを特徴とする請求項１９に記載の共通電圧発生方法。
【発明の詳細な説明】
【技術分野】
【０００１】
本発明は、共通電圧発生技術に係り、より詳細には、小面積と高効率とを有する共通電圧発生器、それを含むディスプレイ装置、及び共通電圧発生方法に関する。
【背景技術】
【０００２】
薄膜トランジスタ液晶表示装置（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ、以下“ＴＦＴ−ＬＣＤ”と称する）は、代表的な平面パネルディスプレイ装置（ｆｌａｔ  ｐａｎｎｅｌ  ｄｉｓｐｌａｙ  ｄｅｖｉｃｅ）であり、ＴＶ、モニター、携帯電話などに広く利用されている。
【０００３】
一般的に、前記ＴＦＴ−ＬＣＤは、ソースドライバー、共通電圧発生器、及び多数のソースラインと共通電圧ラインとを含むディスプレイパネルを含む。
【０００４】
ソースドライバーは、多数のソースラインのうち、対応するソースラインにデジタル映像信号に相応するアナログ電圧を出力する。
【０００５】
共通電圧発生器は、多数のソースラインのうち対応するソースラインに、デジタル映像信号に相応するアナログ電圧と逆極性に該当する共通電圧（例えば、第１共通電圧、または前記第１共通電圧より低電圧レベルの第２共通電圧）を出力して、液晶の劣化を防止する。
【０００６】
共通電圧発生器が第１共通電圧と第２共通電圧とを可変して出力する理由は、周知の如く、液晶の画質改善効果を得るためである。
【０００７】
しかし、一般的な共通電圧発生器は、複数の増幅器、複数の外部キャパシタ、複数のマルチプレクサ、及び前記複数の外部キャパシタの接続のための外部パッド（ｐａｄ）などを含み、消費電力、チップサイズ、及びモジュール全体のコストが増加する問題点が発生しうる。
【発明の概要】
【発明が解決しようとする課題】
【０００８】
本発明が解決しようとする技術的課題は、小面積と高効率とを有する共通電圧発生器、それを含むディスプレイ装置、及び共通電圧発生方法を提供することである。
【課題を解決するための手段】
【０００９】
前記技術的課題を果たす共通電圧発生器は、第１入力電圧と第２入力電圧との差を増幅し、該増幅された電圧を共通電圧として出力する演算増幅器と、前記演算増幅器の第１共通電圧出力モードから第１電圧と第２電圧とを前記演算増幅器の電源に伝送し、第２共通電圧出力モードから第３電圧と第４電圧とを前記演算増幅器の前記電源に伝送するように配置されるスイッチと、を含みうる。
【００１０】
前記演算増幅器は、前記第１入力電圧を受信する第１入力端子、前記第２入力電圧を受信する第２入力端子、及び出力端子を含み、前記共通電圧発生器は、前記出力端子と第１ノードとの間に接続されて前記出力端子と第１ノードとの間の電圧を分配し、該分配された電圧を前記第１入力電圧として前記第１入力端子に出力する電圧分配部をさらに含み、前記スイッチは、前記第１共通電圧出力モードから前記第２電圧を前記第１ノードに伝送し、前記第２共通電圧出力モードから第５電圧を前記第１ノードに出力することができる。
前記共通電圧発生器は、前記第１共通電圧出力モードから第１入力電圧出力制御信号に応答して第５電圧を分配した任意のレベルのうち何れか一つのレベルを選択し、該選択されたレベルに相応する電圧を前記第２入力電圧として前記第２入力端子に伝送し、前記第２共通電圧出力モードから第２入力電圧出力制御信号に応答して前記第５電圧を分配した任意のレベルのうち他の一つのレベルを選択し、該選択されたレベルに相応する電圧を前記第２入力電圧として前記第２入力端子に伝送する入力電圧発発生部をさらに含みうる。
【００１１】
前記入力電圧発生部は、少なくとも一つの抵抗を用いて前記第２電圧と前記第５電圧との差に相応する電圧を抵抗分配し、該抵抗分配された電圧を出力する抵抗分配部と、前記第１入力電圧出力制御信号に応答して前記抵抗分配部から出力された任意の電圧レベルのうち何れか一つの電圧レベルを選択し、該選択された電圧レベルに相応する電圧を前記第２入力電圧として出力するか、前記第２入力電圧出力制御信号に応答して前記任意の電圧レベルのうち他の一つの電圧レベルを選択し、該選択された電圧レベルに相応する電圧を前記第２入力電圧として出力するマルチプレクサと、を含みうる。
【００１２】
前記スイッチは、前記演算増幅器の前記第３電圧出力モードから前記第３電圧と前記第４電圧とを前記演算増幅器の電源に伝送するように配置され、前記第２電圧出力モードから前記第１電圧と前記第２電圧とを前記演算増幅器の電源に伝送するように配置されうる。
【００１３】
前記第１共通電圧、前記第２共通電圧、前記第２電圧、及び前記第３電圧は、前記第１共通電圧＞前記第３電圧＞前記第２電圧＞前記第２共通電圧の関係が成立可能である。
【００１４】
前記演算増幅器は、前記第２共通電圧、前記第３電圧、前記第１共通電圧、前記第２電圧の順またはその逆順に電圧を出力することができる。
【００１５】
前記演算増幅器は、前記第１入力電圧を受信する第１入力端子と、前記第２入力電圧を受信する第２入力端子と、出力端子とを含み、前記共通電圧発生器は、前記出力端子と第１ノードとの間に接続されて前記出力端子と第１ノードとの間の電圧を分配し、該分配された電圧を前記第１入力電圧として前記第１入力端子に出力する電圧分配部をさらに含み、前記スイッチは、前記第３電圧出力モードから前記第２電圧を前記第１ノードに伝送し、前記第２電圧出力モードから前記第５電圧を前記第１ノードに出力することができる。
【００１６】
前記共通電圧発生器は、前記第３電圧出力モードから第１入力電圧出力制御信号に応答して第５電圧を分配した任意のレベルのうち何れか一つのレベルを選択し、該選択されたレベルに相応する電圧を前記第２入力電圧として前記第２入力端子に伝送し、前記第２電圧出力モードから第２入力電圧出力制御信号に応答して前記第５電圧を分配した任意のレベルのうち他の一つのレベルを選択し、該選択されたレベルに相応する電圧を前記第２入力電圧として前記第２入力端子に伝送する入力電圧発生部をさらに含みうる。
【００１７】
前記入力電圧発生部は、少なくとも一つの抵抗を用いて前記第２電圧と前記第５電圧との差に相応する電圧を抵抗分配し、該抵抗分配された電圧を出力する抵抗分配部と、前記第１入力電圧出力制御信号に応答して前記抵抗分配部から出力された任意の電圧レベルのうち何れか一つの電圧レベルを選択し、該選択された電圧レベルに相応する電圧を前記第２入力電圧として出力するか、前記第２入力電圧出力制御信号に応答して前記任意の電圧レベルのうち他の一つの電圧レベルを選択し、該選択された電圧レベルに相応する電圧を前記第２入力電圧として出力するマルチプレクサと、を含みうる。
【００１８】
前記演算増幅器は、第１電源端子、第２電源端子、第１入力端子、第２入力端子、及び出力端子を含み、前記共通電圧発生器は、前記出力端子と第１ノードとの間に接続されて前記出力端子と第１ノードとの間の電圧を分配し、該分配された電圧を前記第１入力電圧として前記第１入力端子に出力する電圧分配部をさらに含みうる。
【００１９】
前記スイッチは、前記第１電源端子に接続されて前記第１電圧または前記第３電圧を前記第１電源端子に伝送する第１スイッチ対と、前記第２電源端子に接続されて前記第２電圧または前記第４電圧を前記第２電源端子に伝送する第２スイッチ対と、前記第１ノードに接続されて第２電圧または第５電圧を前記第１ノードに伝送する第３スイッチ対と、を含みうる。
【００２０】
前記第１スイッチ対は、第１スイッチ制御信号に応答して前記第１電圧を前記第１電源端子に伝送する第１スイッチ及び第２スイッチ制御信号に応答して前記第３電圧を前記第１電源端子に伝送する第２スイッチを含み、前記第２スイッチ対は、第３スイッチ制御信号に応答して前記第２電圧を前記第２電源端子に伝送する第３スイッチ及び第４スイッチ制御信号に応答して前記第４電圧を前記第２電源端子に伝送する第４スイッチを含み、前記第３スイッチ対は、第５スイッチ制御信号に応答して前記第５電圧を前記第１ノードに伝送する第５スイッチ及び第６スイッチ制御信号に応答して前記第２電圧を前記第１ノードに伝送する第６スイッチを含みうる。
【００２１】
前記第１スイッチ制御信号及び前記第３スイッチ制御信号と、前記第２スイッチ制御信号及び前記第４スイッチ制御信号とは、互いに相補的な論理レベルを有し、前記第５スイッチ制御信号と前記第６スイッチ制御信号とは、互いに相補的な論理レベルを有しうる。
【００２２】
前記共通電圧発生器は、前記第１電源端子と前記第２電源端子との間に接続されて前記第１スイッチ対と前記第２スイッチ対とから発生しうるスイッチングノイズを除去するための少なくとも一つのキャパシタをさらに含みうる。
【００２３】
前記共通電圧発生器は、第１共通電圧出力モードから第１入力電圧出力制御信号に応答して多数の電圧レベルのうち何れか一つの電圧レベルを前記第２入力電圧として選択して出力し、第２共通電圧出力モードから第２入力電圧出力制御信号に応答して前記多数の電圧レベルのうち何れか一つの電圧レベルを前記第２入力電圧として選択して出力する入力電圧発生部をさらに含みうる。
【００２４】
前記入力電圧発生部は、前記少なくとも一つの抵抗を用いて第６電圧と前記第２電圧との差と相応する前記多数の電圧レベルを決定することができる。
【００２５】
前記技術的課題を果たすディスプレイ装置は、ソースドライバーと、ディスプレイパネルと、前記共通電圧発生器と、を含みうる。
【００２６】
前記技術的課題を果たす共通電圧発生器は、第１入力端子に入力される第１入力電圧と第２入力端子に入力される第２入力電圧との差を増幅し、該増幅された電圧を出力端子に共通電圧として出力する演算増幅器と、前記出力端子と第１ノードとの間に接続されて前記出力端子と前記第１ノードとの間の電圧を分配し、該分配された電圧を前記第１入力電圧として前記第１入力端子に出力する電圧分配部と、第１共通電圧出力モードから第１入力電圧出力制御信号に応答して多数の電圧レベルのうち何れか一つの電圧レベルを前記第２入力電圧として選択して出力し、第２共通電圧出力モードから第２入力電圧出力制御信号に応答して前記多数の電圧レベルのうち何れか一つの電圧レベルを前記第２入力電圧として選択して出力する入力電圧発生部と、を含みうる。
【００２７】
前記共通電圧発生器は、前記演算増幅器の第１共通電圧出力モードから第１電圧と第２電圧とを前記演算増幅器の電源に伝送し、第２共通電圧出力モードから第３電圧と第４電圧とを前記演算増幅器の前記電源に伝送するように配置されるスイッチをさらに含みうる。
【００２８】
前記技術的課題を果たす共通電圧発生方法は、第１電圧と第２電圧とを演算増幅器の電源として使って第１共通電圧を共通電圧として出力する段階と、第３電圧と第４電圧とを前記演算増幅器の前記電源として使って第２共通電圧を前記共通電圧として出力する段階と、を含みうる。
【００２９】
前記共通電圧発生方法は、前記第１共通電圧を前記共通電圧として出力する段階前に、前記第３電圧と前記第４電圧とを前記演算増幅器の前記電源として使って前記第３電圧を前記共通電圧として出力する段階をさらに含み、前記第１共通電圧を前記共通電圧として出力する段階後に、前記第１電圧と前記第２電圧とを前記演算増幅器の電源として使って前記第２電圧を前記共通電圧として出力する段階をさらに含みうる。
【００３０】
前記第１共通電圧、前記第２共通電圧、前記第２電圧、及び前記第３電圧は、前記第１共通電圧＞前記第３電圧＞前記第２電圧＞前記第２共通電圧の関係が成立可能である。
【発明の効果】
【００３１】
本発明による共通電圧発生器、それを含むディスプレイ装置、及び共通電圧発生方法は、小面積と高効率とを有することで、消費電力、チップサイズ、及びモジュール全体のコスト増加を抑えうる。
【００３２】
本発明の詳細な説明で引用される図面をより十分に理解するために、各図面の簡単な説明が提供される。
【図面の簡単な説明】
【００３３】
【図１】本発明の比較例による共通電圧発生器の回路図である。
【図２】本発明の実施形態による共通電圧発生器を含むディスプレイ装置を表わす図である。
【図３】図２の共通電圧発生器を表わす図である。
【図４Ａ】図２の共通電圧発生器の動作を説明する図である。
【図４Ｂ】図２の共通電圧発生器の動作を説明する図である。
【図５】図２のスイッチング信号による共通電圧発生器の出力電圧を説明する図である。
【図６】図２のスイッチング信号による共通電圧のタイミング図である。
【図７】本発明の実施形態による共通電圧発生方法のフローチャートである。
【発明を実施するための形態】
【００３４】
本発明と本発明の動作上の利点及び本発明の実施によって達成される目的を十分に理解するためには、本発明の望ましい実施形態を例示する添付図面及び添付図面に記載の内容を参照しなければならない。
【００３５】
以下、添付図面を参照して、本発明の望ましい実施形態を説明することによって、本発明を詳しく説明する。各図面に付された同じ参照符号は、同じ部材を表わす。
【００３６】
図１は、本発明の比較例による共通電圧発生器の回路図を表わす。図１を参照すれば、共通電圧発生器１０は、共通電圧出力端子ＶＣＯＭ、入力電圧発生部１１、第１共通電圧発生部１３、第１外部キャパシタＣ１、第２共通電圧発生部１５、第２外部キャパシタＣ２、第１スイッチＳ１１、及び第２スイッチＳ２２を含みうる。
【００３７】
共通電圧発生器１０は、共通電圧出力端子ＶＣＯＭを通じて第１及び第２共通電圧ＶＣＯＭＨ及びＶＣＯＭＬを出力し、ディスプレイパネル（図示せず）は、前記共通電圧出力端子ＶＣＯＭが接続される共通電圧ライン（図示せず）と多数のソースライン（図示せず）とを含み、前記第１及び第２共通電圧ＶＣＯＭＨ及びＶＣＯＭＬとデジタル映像信号に相応するアナログ電圧とに応答して映像信号をディスプレイする。
【００３８】
第１共通電圧ＶＣＯＭＨと第２共通電圧ＶＣＯＭＬとは、液晶に書き込まれるデータ電圧の逆極性に該当する電圧で液晶の劣化防止のための位相反転に使われる。
【００３９】
共通電圧発生器１０が第１及び第２共通電圧ＶＣＯＭＨ及びＶＣＯＭＬを可変して出力する理由は、周知の如く、液晶の画質改善効果を得るためである。
【００４０】
入力電圧発生部１１は、第１及び第２入力電圧出力制御信号Ｈ−ＳＥＬ、Ｌ−ＳＥＬに応答して第１電圧Ｖ１と第２電圧ＶＳＳとの差に相応する電圧を抵抗分配した任意のレベルのうち何れか一つのレベルを選択し、該選択されたレベルに相応する電圧を第１共通電圧発生部１３及び第２共通電圧発生部１５に出力することができる。
【００４１】
入力電圧発生部１１は、第１マルチプレクサ１１−１と第２マルチプレクサ１１−３とを含みうる。前記第１マルチプレクサ１１−１は、第１入力電圧出力制御信号Ｈ−ＳＥＬに応答して第１電圧Ｖ１と第２電圧ＶＳＳとの差に相応する電圧が第１抵抗Ｒ１１によって抵抗分配された任意のレベルのうち何れか一つのレベルを選択し、該選択されたレベルに相応する電圧Ｖｉｎ１１を第１共通電圧発生部１３に出力することができる。
【００４２】
第２マルチプレクサ１１−３は、第２入力電圧出力制御信号Ｌ−ＳＥＬに応答して第１電圧Ｖ１と第２電圧ＶＳＳとの差に相応する電圧が第１抵抗Ｒ１１によって抵抗分配された任意のレベルのうち何れか一つのレベルを選択し、該選択されたレベルに相応する電圧Ｖｉｎ２２を第２共通電圧発生部１５に出力することができる。
【００４３】
第１共通電圧発生部１３は、第１マルチプレクサ１１−１の出力電圧Ｖｉｎ１１と第１共通電圧ＶＣＯＭＨが電圧分配された電圧Ｖｄ１との差を増幅し、該増幅された結果を第１共通電圧ＶＣＯＭＨとして出力することができる。
【００４４】
第１共通電圧発生部１３は、第１演算増幅器１３−１と第１電圧分配部１３−２とを含みうる。前記第１演算増幅器１３−１は、第３電源ＡＶＤＤと第２電源ＶＳＳとを電源として用いて第１マルチプレクサ１１−１の出力電圧と第１電圧分配部１３−２の出力電圧Ｖｄ１との差を増幅し、該増幅された結果を第１共通電圧ＶＣＯＭＨとして出力することができる。
【００４５】
第１電圧分配部１３−２は、第１共通電圧ＶＣＯＭＨ出力端子と第２電圧ＶＳＳとの間に接続されて第２抵抗Ｒ２１と第３抵抗Ｒ３１とを用いて前記第１共通電圧ＶＣＯＭＨを電圧分配し、該電圧分配された電圧Ｖｄ１を第１演算増幅器１３−１に出力することができる。
【００４６】
第１外部キャパシタＣ１は、第１演算増幅器１３−１の出力端に接続されて第１共通電圧ＶＣＯＭＨの電圧レベルを安定化させる。
【００４７】
第２共通電圧発生部１５は、第２マルチプレクサ１１−３の出力電圧をバッファリングし、該バッファリングされた電圧Ｖｆと第２共通電圧ＶＣＯＭＬとの差に相応する電圧が抵抗分配された電圧Ｖｄ３と第２電圧ＶＳＳとの差を増幅し、該増幅された結果を前記第２共通電圧ＶＣＯＭＬとして出力することができる。
【００４８】
第２共通電圧発生部１５は、バッファ１６、第２演算増幅器１７、及び第２電圧分配部１９を含みうる。前記バッファ１６は、第３電圧ＡＶＤＤと第２電圧ＶＳＳとを電源として用いて第２マルチプレクサ１１−３の出力電圧Ｖｉｎ２２をバッファリングし、該バッファリングされた電圧Ｖｆを出力することができる。
【００４９】
第２演算増幅器１７は、第４電源ＶＣＩと第５電源ＶＣＬとを用いて第２電圧分配部１９の出力電圧Ｖｄ３と第２電圧ＶＳＳとの差を増幅し、該増幅された結果を第２共通電圧ＶＣＯＭＬとして出力することができる。
【００５０】
第２電圧分配部１９は、第２演算増幅器１７の出力端子ＶＣＯＭとバッファ１６の出力端子との間に接続されて第４抵抗Ｒ４１と第５抵抗Ｒ５１とを用いて前記第２共通電圧ＶＣＯＭＬを電圧分配し、該電圧分配された電圧Ｖｄ３を第２演算増幅器１７に出力することができる。
【００５１】
第２外部キャパシタＣ２は、第２演算増幅器１７の出力端に接続されて第２共通電圧ＶＣＯＭＬの電圧レベルを安定化させる。
【００５２】
第１スイッチＳ１１は、第１演算増幅器１３−１の出力端と共通電圧出力端子ＶＣＯＭとの間に接続されて第１スイッチ制御信号ＣＳ１に応答して第１共通電圧ＶＣＯＭＨを共通電圧出力端子ＶＣＯＭに伝送し、第２スイッチＳ２２は、第２演算増幅器１７の出力端と共通電圧出力端子ＶＣＯＭとの間に接続されて第２スイッチ制御信号ＣＳ２に応答して第２共通電圧ＶＣＯＭＬを共通電圧出力端子ＶＣＯＭに伝送することができる。
【００５３】
しかし、本発明の比較例による共通電圧発生器１０は、複数の増幅器（例えば、第１演算増幅器１３−１、第２演算増幅器１７、及びバッファ１６）、複数の外部キャパシタ（例えば、Ｃ１及びＣ２）、複数のマルチプレクサ（例えば、１１−１及び１１−３）、及び前記複数の外部キャパシタの接続のための外部パッドなどを含むので占める面積が大きくなり、その結果、ＬＣＤディスプレイドライバーＩＣ（ＤＤＩ）の面積も大きくなる問題点が発生しうる。
【００５４】
また、本発明の比較例による共通電圧発生器１０は、外装部品点数が多く、価格競争力などが低下する。
【００５５】
図２は、本発明の実施形態による共通電圧発生器を含むディスプレイ装置を表わし、図３は、図２の共通電圧発生器を表わし、図４Ａと図４Ｂとは、図２の共通電圧発生器の動作を説明する図である。
【００５６】
図５は、図２のスイッチング信号による共通電圧発生器の出力電圧を説明する図であり、図６は、図２のスイッチング信号による共通電圧のタイミング図である。図２ないし図６を参照すれば、ＴＦＴ−ＬＣＤ、ＰＤＰ、またはＯＬＥＤのような平板ディスプレイ装置のようなディスプレイ装置１００は、ディスプレイパネル１１０、ソースドライバー１２０、及び共通電圧発生器１３０を含ことができる。前記ソースドライバー１２０と前記共通電圧発生器１３０とは、一つのチップとして具現可能であり、別個のチップとして具現されることもある。
【００５７】
ディスプレイパネル１１０は、多数のソースラインＳ１〜Ｓｍと共通電圧ライン（図示せず）とを備え、前記共通電圧ラインに印加される共通電圧（例えば、第１共通電圧ＶＣＯＭＨ、第２共通電圧ＶＣＯＭＬ、第１電圧Ｖ３、及び第２電圧ＶＳＳ）と前記多数のソースラインＳ１〜Ｓｍに伝送されるデジタル映像信号に相応するアナログ電圧とに応答して映像信号をディスプレイする。
【００５８】
ソースドライバー１２０は、入力されたデジタル映像信号に相応するアナログ電圧を発生させて前記多数のソースラインＳ１〜Ｓｍに伝送する。
【００５９】
共通電圧発生器１３０は、共通電圧出力端子ＶＣＯＭを通じて多数の電圧（例えば、第１共通電圧ＶＣＯＭＨ、第２共通電圧ＶＣＯＭＬ、第１電圧Ｖ３、及び第２電圧ＶＳＳ）のうち何れか一つの電圧を出力する。
【００６０】
共通電圧発生器１３０から出力される多数の電圧ＶＣＯＭＨ、ＶＣＯＭＬ、Ｖ３、及びＶＳＳのうち第１共通電圧ＶＣＯＭＨと第２共通電圧ＶＣＯＭＬは、液晶に書き込まれるデータ電圧の逆極性に該当する電圧で液晶の劣化防止のための位相反転に使われる。
【００６１】
共通電圧発生器１３０が第１共通電圧ＶＣＯＭＨと第２共通電圧ＶＣＯＭＬとを可変して出力する理由は、周知の如く、液晶の画質改善効果を得るためである。
【００６２】
共通電圧発生器１３０は、入力電圧発生部１３１、演算増幅器、多数のスイッチ１４１、１４３、１４９、１５１、１５３、及び１５５、電圧分配部１４２、及びキャパシタＣｂを含みうる。
【００６３】
入力電圧発生部１３１は、入力電圧出力制御信号Ｈ−ＳＥＬ１、Ｌ−ＳＥＬ１に応答して第３電圧Ｖ１１を分配した任意のレベルのうち何れか一つのレベルを選択し、該選択されたレベルに相応する電圧を演算増幅器に出力することができる。
【００６４】
入力電圧発生部１３１は、抵抗分配部１３６、マルチプレクサ１３７、第１選択スイッチ１３３、及び第２選択スイッチ１３５を含みうる。
【００６５】
抵抗分配部１３６は、少なくとも一つの抵抗Ｒ１を用いて第３電圧Ｖ１１と第２電圧ＶＳＳとの差に相応する電圧を抵抗分配し、該抵抗分配された電圧を出力することができる。
【００６６】
マルチプレクサ１３７は、第１入力電圧出力制御信号Ｈ−ＳＥＬ１に応答して抵抗分配部１３６から出力された任意の電圧レベルのうち何れか一つの電圧レベルを選択し、該選択された電圧レベルに相応する第１入力電圧Ｖｉｎ１を演算増幅器に出力することができる。
【００６７】
または、マルチプレクサ１３７は、第２入力電圧出力制御信号Ｌ−ＳＥＬ１に応答して抵抗分配部１３６から出力された任意の電圧レベルのうち他の一つの電圧レベルを選択し、該選択された電圧レベルに相応する第２入力電圧Ｖｉｎ３を演算増幅器１４０に出力することができる。
【００６８】
第１入力電圧Ｖｉｎ１と第２入力電圧Ｖｉｎ３とのサイズは、互いに同じか異なり、望ましくは、前記第１入力電圧Ｖｉｎ１が前記第２入力電圧Ｖｉｎ３より大きいことである。
【００６９】
第１選択スイッチ１３３は、第１選択信号Ｓ５に応答して第１入力電圧出力制御信号Ｈ−ＳＥＬ１をマルチプレクサ１３７に伝送し、第２選択スイッチ１３５は、第２選択信号Ｓ６に応答して第２入力電圧出力制御信号Ｌ−ＳＥＬ１を前記マルチプレクサ１３７に伝送することができる。
【００７０】
演算増幅器１４０は、入力電圧（例えば、第１入力電圧Ｖｉｎ１及び第２入力電圧Ｖｉｎ３）と電圧分配された電圧Ｖｄ７またはＶｄ９との差を増幅し、該増幅された電圧を共通電圧として出力することができる。
【００７１】
演算増幅器１４０は、第１入力端子（−）、第２入力端子（＋）、第１電源端子Ｎ３、第２電源端子Ｎ９、及び出力端子ＶＣＯＭを含みうる。
【００７２】
スイッチＳ１ないしＳ４、Ｓ７及びＳ８は、演算増幅器１４０の第１共通電圧ＶＣＯＭＨ出力モード（例えば、図４Ａのａ、図６の“ＤＨ１”）から第２電圧ＶＳＳと第４電圧ＡＶＤＤとを前記演算増幅器１４０の電源として提供し、第１分配電圧Ｖｄ７が前記演算増幅器１４０の第１入力端子（−）に伝送されるように配置されうる。
【００７３】
例えば、演算増幅器１４０の第１共通電圧ＶＣＯＭＨ出力モード（例えば、図４Ａのａ、図６の“ＤＨ１”）からマルチプレクサ１３７は、第１入力電圧出力制御信号Ｈ−ＳＥＬ１に応答して第１入力電圧Ｖｉｎ１を演算増幅器１４０に出力することができる。
【００７４】
この際、演算増幅器１４０は、第１入力電圧Ｖｉｎ１と第１分配電圧Ｖｄ７との差を増幅し、該増幅された第１共通電圧ＶＣＯＭＨを共通電圧出力端子ＶＣＯＭに出力することができる。
【００７５】
ここで、第１共通電圧ＶＣＯＭＨのサイズは、次の式１と相応することができる。
【００７６】
【数１】
0005680836.tif 000002
【００７７】
また、スイッチ１４１、１４３、１４９、１５１、１５３、及び１５５は、演算増幅器１４０の第２共通電圧ＶＣＯＭＬ出力モード（例えば、図４Ａのｂ、図６の“ＤＬ３”）から第１電圧Ｖ３と第５電圧ＶＣ１とを前記演算増幅器１４０の電源に伝送し、第２分配電圧Ｖｄ９が、前記演算増幅器１４０の第１入力端子（−）に伝送されるように配置されうる。
【００７８】
例えば、演算増幅器１４０の第２共通電圧ＶＣＯＭＬ出力モード（例えば、図４Ａのｂ、図６の“ＤＬ３”）からマルチプレクサ１３７は、第２入力電圧出力制御信号Ｌ−ＳＥＬ１に応答して第２入力電圧Ｖｉｎ３を演算増幅器１４０に出力することができる。
この際、演算増幅器１４０は、第２入力電圧Ｖｉｎ３と第２分配電圧Ｖｄ９との差を増幅し、該増幅された第２共通電圧ＶＣＯＭＬを共通電圧出力端子ＶＣＯＭに出力することができる。
【００７９】
ここで、第２共通電圧ＶＣＯＭＬのサイズは、次の式２と相応することができる。
【００８０】
【数２】
0005680836.tif 000003
【００８１】
また、スイッチ１４１、１４３、１４９、１５１、１５３、及び１５５は、演算増幅器１４０の第１電圧Ｖ３出力モード（例えば、図４Ｂのｃ、図６の“Ｄ１”と“Ｄ５”）から前記第１電圧Ｖ３と第５電圧ＶＣ１とを前記演算増幅器１４０の電源に伝送するように配置され、第１分配電圧Ｖｄ７が、前記演算増幅器１４０の第１入力端子（−）に伝送されるように配置されうる。
【００８２】
例えば、演算増幅器１４０の第１電圧Ｖ３出力モード（例えば、図４Ｂのｃ、図６の“Ｄ１”及び“Ｄ５”）からマルチプレクサ１３７は、第１入力電圧出力制御信号Ｈ−ＳＥＬ１に応答して第１入力電圧Ｖｉｎ１を演算増幅器１４０に出力することができる。
【００８３】
この際、演算増幅器１４０は、第１入力電圧Ｖｉｎ１と第１分配電圧Ｖｄ７との差を増幅し、該増幅された第１電圧Ｖ３を共通電圧出力端子ＶＣＯＭに出力することができる。
【００８４】
ここで、演算増幅器１４０は、第１電圧Ｖ３出力モード（例えば、図４Ｂのｃ、図６の“Ｄ１”及び“Ｄ５”）から第１共通電圧ＶＣＯＭＨ以上を出力するように動作することができるが、供給される電源である第１電圧Ｖ３によって飽和（ｓａｔｕｒａｔｉｏｎ）して前記第１電圧Ｖ３を出力することができる。
【００８５】
また、スイッチ１４１、１４３、１４９、１５１、１５３、及び１５５は、演算増幅器１４０の第２電圧ＶＳＳ出力モード（例えば、図４Ｂのｄ、図６の“Ｄ３”）から第２電圧ＶＳＳと第４電圧ＡＶＤＤとを前記演算増幅器１４０の電源に伝送するように配置され、第２分配電圧Ｖｄ９が、前記演算増幅器１４０の第１入力端子（−）に伝送されるように配置されうる。
【００８６】
例えば、演算増幅器１４０の第２電圧ＶＳＳ出力モード（例えば、図４Ｂのｄ、図６の“Ｄ３”）からマルチプレクサ１３７は、第２入力電圧出力制御信号Ｌ−ＳＥＬ１に応答して第２入力電圧Ｖｉｎ３を演算増幅器１４０に出力することができる。
【００８７】
この際、演算増幅器１４０は、第２入力電圧Ｖｉｎ３と第２分配電圧Ｖｄ９との差を増幅し、該増幅された第２電圧ＶＳＳを共通電圧出力端子ＶＣＯＭに出力することができる。
【００８８】
ここで、演算増幅器１４０は、第２電圧ＶＳＳ出力モード（例えば、図４Ｂのｄ、図６の“Ｄ３”）から第２共通電圧ＶＣＯＭＬ以下を出力しようと動作することができるが、供給される電源である第２電圧ＶＳＳによって飽和されて前記第２電圧ＶＳＳを出力することができる。
【００８９】
ここで、第１共通電圧ＶＣＯＭＨ、第２共通電圧ＶＣＯＭＬ、第２電圧ＶＳＳ、及び第１電圧Ｖ３は、電圧のサイズにおいて、“第１共通電圧ＶＣＯＭＨ＞第１電圧Ｖ３＞第２電圧ＶＳＳ＞第２共通電圧ＶＣＯＭＬ”の関係が成立しうる。
【００９０】
また、スイッチ１４１、１４３、１４９、１５１、１５３、及び１５５は、演算増幅器１４０の出力電圧（すなわち、共通電圧ＶＣＯＭ）が第２共通電圧ＶＣＯＭＬ、第１電圧Ｖ３、第１共通電圧ＶＣＯＭＨ、第２電圧ＶＳＳの順またはその逆順に出力されるように配置されうる。
【００９１】
一般的に、共通電圧発生器１３０の共通電圧出力端子ＶＣＯＭに接続されるディスプレイパネル（図示せず）のキャパシタンス（ｃａｐａｃｉｔａｎｃｅ）は大きな値を有するが、これによる消費電流も大きい。
【００９２】
すなわち、本発明の実施形態による共通電圧発生器１３０は、共通電圧出力端ＶＣＯＭの電圧を第１共通電圧ＶＣＯＭＨから第２共通電圧ＶＣＯＭＬに、またはその逆に反転させる時、中間に第１電圧Ｖ３または第２電圧ＶＳＳレベルを有することで、消費電流減少駆動（いわゆる、リサイクリング駆動）をすることができる。
【００９３】
スイッチ１４１、１４３、１４９、１５１、１５３、及び１５５は、第１スイッチ対１４１、１４３、第２スイッチ対１４９、１５１、及び第３スイッチ対１５３、１５５を含みうる。
【００９４】
第１スイッチ対１４１、１４３は、演算増幅器１４０の第１電源端子Ｎ３に接続されて第１電圧Ｖ３または第４電圧ＡＶＤＤを前記第１電源端子Ｎ３に伝送し、第１スイッチ１４１と第２スイッチ１４３とを含みうる。
【００９５】
第１スイッチ１４１は、第１スイッチ制御信号Ｓ１に応答して第４電圧ＡＶＤＤを第１電源端子Ｎ３に伝送し、第２スイッチ１４３は、第２スイッチ制御信号Ｓ２に応答して第１電圧Ｖ３を前記第１電源端子Ｎ３に伝送することができる。
【００９６】
第２スイッチ対１４９、１５１は、演算増幅器１４０の第２電源端子Ｎ９に接続されて第２電圧ＶＳＳまたは第５電圧ＶＣ１を前記第２電源端子Ｎ９に伝送し、第３スイッチ１４９と第４スイッチ１５１とを含みうる。
【００９７】
第３スイッチ１４９は、第３スイッチ制御信号Ｓ３に応答して第２電圧ＶＳＳを第２電源端子Ｎ９に伝送し、第４スイッチ１５１は、第４スイッチ制御信号Ｓ４に応答して第５電圧ＶＣ１を前記第２電源端子Ｎ９に伝送することができる。
【００９８】
第３スイッチ対１５３、１５５は、電圧分配部１４２に接続されて第２電圧ＶＳＳまたは第３電圧Ｖ１１を前記電圧分配部１４２に伝送し、第５スイッチ１５３と第６スイッチ１５５とを含みうる。
【００９９】
第５スイッチ１５３は、第５スイッチ制御信号Ｓ７に応答して第３電圧Ｖ１１を前記電圧分配部１４２に伝送し、第６スイッチ１５５は、第６スイッチ制御信号Ｓ８に応答して第２電圧ＶＳＳを前記電圧分配部１４２に伝送することができる。
【０１００】
ここで、第１及び第３スイッチ制御信号Ｓ１、Ｓ３と第２及び第４スイッチ制御信号Ｓ２、Ｓ４は、互いに相補的な論理レベルを有し、第５スイッチ制御信号Ｓ７と第６スイッチ制御信号Ｓ８は、互いに相補的な論理レベルを有しうる。
【０１０１】
図５は、ディスプレイ装置１００のタイミング制御部（図示せず）で生成される第１クロック信号ＶＣＯＭ＿ＣＬＫ１と第２クロック信号ＶＣＯＭ＿ＣＬＫ２とによる第１ないし第５スイッチ制御信号Ｓ１ないしＳ４、Ｓ７とＳ８と第１選択信号Ｓ５及び第２選択信号Ｓ６との活性化有無を表わす表である。
【０１０２】
すなわち、第１及び第３スイッチ制御信号Ｓ１、Ｓ３と第２及び第４スイッチ制御信号Ｓ２、Ｓ４は、互いに相補的な論理レベルを有し、第６スイッチ制御信号Ｓ８及び第１選択信号Ｓ５と第５スイッチ制御信号Ｓ７及び第２選択信号Ｓ６は、互いに相補的な論理レベルを有しうる。
【０１０３】
より詳細には、第１及び第３スイッチ制御信号Ｓ１、Ｓ３は、第１論理レベル（例えば、‘ハイ’または‘１’）状態の第２クロック信号ＶＣＯＭ＿ＣＬＫ２に応答して活性化され、第２及び第４スイッチ制御信号Ｓ２、Ｓ４は、第２論理レベル（例えば、‘ロー’または‘０’）状態の第２クロック信号ＶＣＯＭ＿ＣＬＫ２に応答して活性化されうる。
【０１０４】
また、第６スイッチ制御信号Ｓ８及び第１選択信号Ｓ５は、第１論理レベル（例えば、‘ハイ’または‘１’）状態の第１クロック信号ＶＣＯＭ＿ＣＬＫ１に応答して活性化され、第５スイッチ制御信号Ｓ７及び第２選択信号Ｓ６は、第２論理レベル（例えば、‘ロー’または‘０’）状態の第１クロック信号ＶＣＯＭ＿ＣＬＫ１に応答して活性化されうる。
【０１０５】
すなわち、共通電圧発生器１３０は、第１ないし第６スイッチ制御信号Ｓ１ないしＳ４、Ｓ７とＳ８と第１選択信号Ｓ５及び第２選択信号Ｓ６とによって第１共通電圧ＶＣＯＭＨ、第２共通電圧ＶＣＯＭＬ、第１電圧Ｖ３、及び第２電圧ＶＳＳを共通電圧出力端子ＶＣＯＭに出力することができる。
【０１０６】
再び図３を参照すれば、電圧分配部１４２は、共通電圧出力端子ＶＣＯＭと第３スイッチ対１５３、１５５のそれぞれの一端子との間に接続されて第３抵抗Ｒ１２と第４抵抗Ｒ２１とを用いて第２電圧ＶＳＳまたは第３電圧Ｖ１１と前記共通電圧出力端子ＶＣＯＭとの間の電圧を分配し、該分配された電圧（例えば、第１分配電圧Ｖｄ７または第２分配電圧Ｖｄ９）を演算増幅器１４０の第１入力端子（−）に出力することができる。
【０１０７】
例えば、電圧分配部１４２は、第２電圧ＶＳＳと共通電圧出力端子ＶＣＯＭとの間の電圧を分配し、該分配された第１分配電圧Ｖｄ７を演算増幅器１４０の第１入力端子（−）に出力することができる。
【０１０８】
または、電圧分配部１４２は、第３電圧Ｖ１１と共通電圧出力端子ＶＣＯＭとの間の電圧を分配し、該分配された第２分配電圧Ｖｄ９を演算増幅器１４０の第１入力端子（−）に出力することができる。
【０１０９】
キャパシタＣｂは、演算増幅器１４０の第１電源端子Ｎ３と第２電源端子Ｎ９との間に接続されて第１スイッチ対１４１、１４３と前記第２スイッチ対１４９、１５１とから発生しうるスイッチングノイズを除去することができる。
【０１１０】
すなわち、本発明による共通電圧発生器１３０は、図１の共通電圧発生器１０と比べて小面積及び少数の素子として具現される。したがって、本発明による共通電圧発生器１３０によれば、小面積と高効率とを有することで、消費電力、チップサイズ、及びモジュール全体のコスト増加を減らしうる効果がある。
【０１１１】
図７は、本発明の実施形態による共通電圧発生方法のフローチャートである。図３と図７とを参照すれば、演算増幅器１４０は、第２電圧ＶＳＳと第４電圧ＡＶＤＤとを電源として使って第１共通電圧ＶＣＯＭＨを共通電圧として出力する（Ｓ１０）。
【０１１２】
演算増幅器１４０は、第１電圧Ｖ３と第５電圧ＶＣ１とを電源として使って前記第１電圧Ｖ３を共通電圧として出力し（Ｓ１２）、第３電圧Ｖ３と第４電圧ＶＣ１とを前記電源として使って第２共通電圧ＶＣＯＭＬを前記共通電圧として出力する（Ｓ１４）。
【０１１３】
演算増幅器１４０は、第４電圧ＡＶＤＤと第２電圧ＶＳＳとを電源として使って前記第２電圧ＶＳＳを共通電圧として出力する（Ｓ１６）。
【０１１４】
本発明は、図面に示された一実施形態を参考にして説明されたが、これは例示的なものに過ぎず、当業者ならば、これより多様な変形及び均等な他実施形態が可能であるという点を理解できるであろう。したがって、本発明の真の技術的保護範囲は、特許請求の範囲の技術的思想によって決定されるべきである。
【産業上の利用可能性】
【０１１５】
本発明は、共通電圧発生器、それを含むディスプレイ装置、及び共通電圧発生方法関連の技術分野に適用可能である。
【符号の説明】
【０１１６】
１０  共通電圧発生器
１１  入力電圧発生部
１３  第１共通電圧発生部
１５  第２共通電圧発生部
１６  バッファ
１７  第２演算増幅器
１９  第２電圧分配部
１００  ディスプレイ装置
１１０  ディスプレイパネル
１２０  ソースドライバー
１３０  共通電圧発生器
１３１  入力電圧発生部
１３３  第１選択スイッチ
１３５  第２選択スイッチ
１３６  抵抗分配部
１３７  マルチプレクサ
１４０  演算増幅器
１４１  第１スイッチ
１４２  電圧分配部
１４３  第２スイッチ
１４９  第３スイッチ
１５１  第４スイッチ
１５３  第５スイッチ
１５５  第６スイッチ
Ｃ１  第１外部キャパシタ
Ｃ２  第２外部キャパシタ
Ｃｂ  キャパシタ
Ｓ１１  第１スイッチ
Ｓ２２  第２スイッチ
ＶＣＯＭ  共通電圧出力端子
ＶＣＯＭＨ  第１共通電圧
ＶＣＯＭＬ  第２共通電圧
【図１】
0005680836.tif 000004
【図２】
0005680836.tif 000005
【図３】
0005680836.tif 000006
【図４Ａ】
0005680836.tif 000007
【図４Ｂ】
0005680836.tif 000008
【図５】
0005680836.tif 000009
【図６】
0005680836.tif 000010
【図７】
0005680836.tif 000011